(57)【要約】      （修正有）【課題】除染のための、拭き取り用に使用するのに効果的なウエットティッシュを提供する。【解決手段】ウエットティッシュ１の片面に、手を置く面であることを示す目印２（１）を記載し、目印２（１）の面に作業者が手をおいて拭き取り作業を行う。目印２（１）の面を上にして折り畳んで廃棄することによって拭き取った汚れ面、例えば放射性物質が付着した面に手を触れることなく作業を行うことができる。ウエットティッシュ１を、広げた状態で片面を使用して拭き取り、折り返した一方の面を次の拭き取り面とする場合に、折り畳み易さを考慮して、ウエットティッシュの一つの隅に第１の目印２（１）を、二つ折り状態の前記第１の目印の対角位置に第２の目印２（２）を記載しておくと便利である。【選択図】図２
0003180428.tif 000002
【実用新案登録請求の範囲】
【請求項１】
ウエットティッシュの片面に、手を置く面であることを示す目印を記載したことを特徴とする拭き取り用ウエットティッシュ。
【請求項２】
ウエットティッシュは、最大に広げた状態で片面を拭き取り面とする第１使用形態と、中心で二つ折りとして折り返した面の一方を拭き取り面とする第２使用形態とで使用するものとし、最大に広げた状態の一つの隅に第１の目印を、二つ折り状態の前記第１の目印の対角位置に第２の目印を記載したことを特徴とする請求項１記載の拭き取り用ウエットティッシュ。
【考案の詳細な説明】
【技術分野】
【０００１】
本考案は、汚れた面、例えば除染を目的として拭き取るためのウエットティッシュに関する考案である。
【背景技術】
【０００２】
日常生活においては、テーブル面などの汚れた面を拭き取るためにウエットティッシュが使用される。一般的には、通常の汚れを拭き取るもので、拭き取り面と、手で押える面は特に区別して認識されることはなかった。
【０００３】
ウエットティッシュは、不織布からなる生地に水やアルコールといった含浸液を含浸させ、拭き取り効果の向上や清涼感を向上させるように工夫されている。従来のウエットティッシュには、特許文献１や特許文献２に開示されているように、例えば水、アルコール、界面活性剤、香料、保湿剤、防菌防黴剤、キレート剤など多様な物質を含浸させることが知られている。
【先行技術文献】
【特許文献】
【０００４】
【特許文献１】特開２００５−２８７７１０号公報
【特許文献２】特開２００３−７９５３０号公報
【考案の概要】
【考案が解決しようとする課題】
【０００５】
従来のウエットティッシュは、汚れた面を拭き取ることに注視されてはいるが、ウエットティッシュのどの面で拭き取り、どの面を手で支えるかといったことには注目されていなかった。したがって、適当にウエットティッシュを使って拭き取った後、使用者が折り返して再度汚れを拭き取る場合や廃棄する場合に、ウエットティッシュの汚れを拭き取った面に、直接手を触れることが多かった。
【０００６】
本考案者らは、除染効果の高い鉄キレート剤などを含浸させたウエットティッシュを用いて、家具等の表面を拭き取ることによって除染を行なうことを提案する。放射能汚染の拭き取り面は、必ずしも肉眼的に汚れているとは限らないため、前記したように拭き取った面に手を触れる可能性があった。
放射性物質を含む拭き取り面に、作業者が手を触れるのは汚染の拡散や被爆の観点から好ましくない。放射性物質に限らず、汚れを拭き取った面に手を添えて拭き取り作業を行うことは好ましくない。
上記従来技術の欠点に鑑み、本考案は、作業者が汚れた面に手を触れることなく効果的に拭き取り作業を行うことができるウエットティッシュを提供することを目的とするものである。
【考案の開示】
【課題を解決するための手段】
【０００７】
前記目的を達成する、請求項１記載の考案は、ウエットティッシュ１の片面に、手を置く面であることを示す目印２を記載することである。目印２は、ウエットティッシュ１の片面のどの位置に記載してもよい。好ましくは、目立つ位置に目立つ態様で記載する。
【０００８】
請求項２記載の考案に係る拭き取り用ウエットティッシュ１は、最大に広げた状態で片面全体を拭き取り面とする第１使用形態と、中心で二つ折りとして折り返し、折り返した面の一方を拭き取り面とする第２使用形態とで使用するものとする。そして、最大に広げた状態の一つの隅に第１の目印2（1）を記載するとともに、二つ折り状態の前記第１の目印2（1）の対角位置に第２の目印2（2）を記載する。
【考案の効果】
【０００９】
請求項１記載の考案によれば、図３に示すように目印２（図３の図面上では目印2（1））の面を上にして拭き取り面に載置し、その上に作業者が手Ａをおいて拭き取り作業を行い、目印２の面を上にして折り畳んで廃棄することによって拭き取った汚れ面、例えば放射性物質が付着した面に手を触れることなく拭き取り作業を行うことができる。目印２は複数個所、例えばウエットティッシュ１の四隅や対角位置に記載するものであってもよい。
【００１０】
請求項２記載の考案によれば、図３に示す使用状態で拭き取り作業を行った後、矢印で示すようにウエットティッシュ１の片面を裏側に折り返し、目印2（1）、目印2（2）を記載した面を上にして拭き取り面に載置し、その上に手Ａを置いて拭き取り作業を行う。図５に示す、拭き取り作業を行ったウエットティッシュ１は、図６に示すように目印2（1）、目印2（2）を表側にして摘み上げることによって、汚れ面Ｂを内側にして廃棄することができる。特に、ウエットティッシュ１を裏側に折り返す場合に、目印2（2）が隠れないように間違いなく折り返すことができる。
【図面の簡単な説明】
【００１１】
【図１】図１は、ウエットティッシュの包装状態を示す斜視図、
【図２】図２は、本考案に係るウエットティッシュの平面図、
【図３】図３は、最大に広げた拭き取り状態を示す平面図、
【図４】図４は、片面を裏側に折り返した拭き取り状態を示す平面図、
【図５】図５は、図４による拭き取り作業後のウエットティッシュの平面図、
【図６】図６は、図５のウエットティッシュの廃棄状態を示す斜視図である。
【考案を実施するための最良の形態】
【００１２】
以下、本考案に係る拭き取り用ウエットティッシュの実施形態を添付の図面に基づいて説明する。
図１は、ウエットティッシュの包装状態を示す斜視図であり、図２は、本考案に係るウエットティッシュの平面図である。
【００１３】
ウエットティッシュ１は、偏平に折り畳んだ状態で気密性のある包装体３に収容し、包装体３に穿設した開口４から取り出すことができるようにし、開口４を開閉シール５で封止することができるようにしているのが一般的な包装形態である。
包装体３に収容したウエットティッシュ１は、例えば折り線６、７、８、９によって折り畳まれ、開口４から一枚ずつ取り出せるようにしている。折り畳みは位置例であって。図２に示す実施形態では、折り線６から順次７、８、９で折り畳む状態を示し、図中点線は谷折り、点鎖線は山折りである。
【００１４】
包装体に収容するウエットティッシュ１の片面、すなわち表面（上面）は作業者が手に触れて拭き取り作業を行う面とし、この面に目印２を記載する。この目印２が記載された面のみに作業者が手を触れて拭き取り作業を行なうことによって、拭き取った汚れ面に手を触れることなく拭き取り作業を行うことができる。
【００１５】
本考案に係るウエットティッシュは、放射能に汚染された可能性のある部分の拭き取り、すなわち除染手段として使用することを考慮している。微量の放射性物質を拭き取った後に、拭き取った面に手が触れたのでは汚染が拡散されるとともに、被爆の可能性がある。そして、微量の放射性物質を拭き取った場合には、汚れ面を視認することができない可能性がある。したがって、ウエットティッシュ１の片面に目印２を記載することによって、作業者が手に触れる面を確実に制限し、除染効果を確実なものとすることができる。
【００１６】
ウエットティッシュ１の片面、すなわち表面に記載する目印２は、使用者が視認することができるものであれば、どのようなものであってもよい。図２に二点鎖線で表示する目印２は、ウエットティッシュ１を広げた状態の中心位置に大きく記載している。したがって、作業者は図３に示すように、目印２が記載された面の中心部、あるいは目印２記載面のいずれかの部分に手Ａを置いて拭き取り作業を行うことによって、拭き取った汚れ面に手が触れることなく作業を行うことができる。
【００１７】
図２に実線で示す目印は、ウエットティッシュ１の表面の二箇所に目印を記載している。すなわち、ウエットティッシュ１の左上隅に第１の目印2（1）を記載するとともに、表面を下に折り返して二つ折り状態とした面の右下隅に第２の目印2（2）を記載している。
この、第１の目印2（1）の対角位置に第２の目印2（2）を記載した実施形態では、ウエットティッシュ１を最大に広げた状態で片面全体を拭き取り面とする第１使用形態と、中心で二つ折りとして折り返し、折り返した面の一方を拭き取り面とする第２使用形態とで使用することができる。
【００１８】
すなわち、図３に示す使用状態で拭き取り作業を行った後、図４に矢印で示すようにウエットティッシュ１の片面を裏側に折り返す。この場合、折り線８に沿って折り返す。折り返したウエットティッシュ１は、目印2（1）、目印2（2）を記載した面を上にして拭き取り面に載置し、その上に手Ａを置いて拭き取り作業を行う。拭き取り作業を行った後の、図５に示すウエットティッシュ１は、図６に示すように目印2（1）と目印2（2）を表側にして摘み上げることによって、汚れ面Ｂを内側にしてビニール袋などに入れ、密封状態で廃棄する。この場合、廃棄作業に際して汚れ面Ｂが手に触れることがなく、放射性物質が手に付着することがない。
【００１９】
以上述べた、本考案に係るウエットティッシュは、除染用に使用するのが好ましいものであるが、通常の汚れ面を拭き取るためのウエットティッシュとして用いる場合にも効果的である。この場合においても、拭き取り作業、廃棄作業のいずれの作業においても汚れが手に付着することがなく衛生的にウエットティッシュを使用することができる。特に、視認できない無色の有害物質を拭き取る場合に効果的である。
【００２０】
放射性物質の除染として、拭き取り作業によって放射性物質を効果的に除去することができることは、広く報じられているところであるが、従来ウエットティッシュによって、効果的な除染をすることは提案されていなかった。本考案は、従来盲点となっていたウエットティッシュによる効果的な除染を提案するものであり、本考案によって安全かつ効果的な拭き取り除染を行なうことができるものである。
【００２１】
本考案のウエットティッシュを実施する上において、ウエットティッシュには、アルコール及び放射性物質の吸着効果の大きな、鉄キレート剤を含浸させることによって除染効果を向上させるのが望ましい。本考案者らの実験によれば鉄キレート剤を含浸させることによって従来のウエットティッシュを使用する場合に比較して10パーセント以上、除染効果を向上させることができた。
【符号の説明】
【００２２】
１…ウエットティッシュ、  ２…目印、  2（1）…第１の目印、  2（2）…第２の目印、  ３…包装体、  ４…開口、  ５…開閉シール、  ６、７、８、９…折り線、  Ａ…手、  Ｂ…汚れ面。
【図１】
0003180428.tif 000003
【図２】
0003180428.tif 000004
【図３】
0003180428.tif 000005
【図４】
0003180428.tif 000006
【図５】
0003180428.tif 000007
【図６】
0003180428.tif 000008